(57)【要約】【課題】  電極端部における電極間のピッチを小さく形成しなくてもよい構成とし，電極の端子に接続部材が正確及び容易に連結されるようにする。【解決手段】  所定の距離を離間させて対向配置される第１基板２及び第２基板４と，第１基板２に同一方向に配列される複数のアドレス電極と，第１基板２と第２基板４との間の空間に配置され，第１基板２と第２基板４との間の空間のうち画像の表示領域２６となる空間を区画して複数の放電セルを形成する隔壁と，放電セル内に形成される蛍光層と，第２基板４に対をなして同一方向に交互に配列される複数の走査電極１６及び複数の表示電極１８とを含み，走査電極１６及び表示電極１８は，表示領域２６における電極のピッチと，表示領域の外側に備えられた端子領域２８ａ，２８ｂにおける電極のピッチとが同一に形成される構成とした。【選択図】    図１
2005050787.tif 000002
【特許請求の範囲】
【請求項１】
所定の距離を離間させて対向配置される第１基板及び第２基板と，
前記第１基板に同一方向に配列される複数のアドレス電極と，
前記第１基板と第２基板との間の空間に配置され，前記第１基板と第２基板との間の空間のうち画像の表示領域となる空間を区画して複数の放電セルを形成する隔壁と，
前記放電セル内に形成される蛍光層と，
前記第２基板に前記アドレス電極と直交する方向に対をなして同一方向に交互に配列される複数の走査電極及び複数の表示電極とを含み，
前記走査電極及び表示電極は，前記表示領域における電極のピッチと，前記表示領域の外側に備えられた端子領域における電極のピッチとが同一に形成されること，
を特徴とするプラズマディスプレイパネル。
【請求項２】
前記複数の走査電極及び表示電極は複数の走査電極群及び表示電極群に分割され，
前記端子領域のうち前記走査電極及び表示電極の両端部が位置する対向する２辺に沿った領域には，前記走査電極及び表示電極が複数配列される方向に沿って，前記表示電極群の各表示電極の端部を連結する共通端子と，前記走査電極群の各走査電極の端部に接続される接続部材とが交互に反復配置されることを特徴とする請求項１に記載のプラズマディスプレイパネル。
【請求項３】
前記表示領域の外側には，前記走査電極及び表示電極の両端部が位置する対向する２辺のうちの一辺に第１端子領域，他辺に第２端子領域が備えられ，
前記複数の走査電極及び表示電極は複数の走査電極群及び表示電極群に分割され，
前記各走査電極群の端部に接続される接続部材は，前記走査電極と表示電極とが交互に配列される方向に沿って第１端子領域と第２端子領域とに交互に反復配置されることを特徴とする請求項１に記載のプラズマディスプレイパネル。
【請求項４】
前記表示電極群の各表示電極の端部を連結する共通端子は，前記走査電極と表示電極とが交互に配列される方向に沿って前記第２端子領域と第１端子領域とに交互に反復配置されることを特徴とする請求項３に記載のプラズマディスプレイパネル。
【請求項５】
前記各々の走査電極と表示電極とが透明電極と透明電極上に形成される金属のバス電極とからなることを特徴とする請求項１に記載のプラズマディスプレイパネル。
【請求項６】
所定の距離を離間させて対向配置される第１基板及び第２基板と，
前記第１基板に同一方向に配列される複数のアドレス電極と，
前記第１基板と第２基板との間の空間に配置され，前記第１基板と第２基板との間の空間のうち画像の表示領域となる空間を区画して複数の放電セルを形成する隔壁と，
前記放電セル内に形成される蛍光層と，
前記第２基板に前記アドレス電極と直交する方向に対をなして同一方向に交互に配列される複数の走査電極及び複数の表示電極とを含み，
前記アドレス電極，前記走査電極，及び前記表示電極は，前記表示領域における電極のピッチと，前記表示領域の外側に備えられた端子領域における電極のピッチとが同一に形成され，
前記アドレス電極の一側の端部に接続される接続部材は，前記表示領域の外側の前記アドレス電極の両端部が位置する対向する２辺に設けられる２つの端子領域に，前記アドレス電極が複数配列される方向に沿って交互に反復配置されることを特徴とするプラズマディスプレイパネル。
【請求項７】
前記複数の走査電極及び表示電極は複数の走査電極群及び表示電極群に分割され，
前記端子領域のうち前記走査電極及び表示電極の両端部が位置する対向する２辺に沿った領域には，前記走査電極及び表示電極が複数配列される方向に沿って，前記表示電極群の各表示電極の端部を連結する共通端子と，前記走査電極群の各走査電極の端部に接続される接続部材とが交互に反復配置されることを特徴とする請求項６に記載のプラズマディスプレイパネル。
【請求項８】
前記表示領域の外側には，前記走査電極及び表示電極の両端部が位置する対向する２辺のうちの一辺に第１端子領域，他辺に第２端子領域が備えられ，
前記複数の走査電極及び表示電極は複数の走査電極群及び表示電極群に分割され，
前記各走査電極群の端部に接続される接続部材は，前記走査電極と表示電極とが交互に配列される方向に沿って第１端子領域と第２端子領域とに交互に反復配置されることを特徴とする請求項７に記載のプラズマディスプレイパネル。
【請求項９】
前記表示電極群の各表示電極の端部を連結する共通端子は，前記走査電極と表示電極とが交互に配列される方向に沿って前記第２端子領域と第１端子領域とに交互に反復配置されることを特徴とする請求項８に記載のプラズマディスプレイパネル。
【発明の詳細な説明】
【技術分野】
【０００１】
本発明は，プラズマディスプレイパネルにかかり，さらに詳しくは電極構造に特徴のあるプラズマディスプレイパネルに関する。
【背景技術】
【０００２】
一般に，プラズマディスプレイパネル（Ｐｌａｓｍａ  Ｄｉｓｐｌａｙ  Ｐａｎｅｌ：以下‘ＰＤＰ'とする）は，セル内に封入された気体に電極から電流を流すことにより気体を放電させ，放電により電離した気体が励起状態から基底状態になる際に放出される真空紫外線が，当該セルの壁面に塗布された蛍光体を励起させ，この蛍光体が基底状態に戻る際に可視光が放出（発光する）されることにより画像が表示される表示装置である。ＰＤＰは，画像の高解像度化及び画面の大型化が可能であるため，次世代薄型表示装置として脚光を浴びている。このようなＰＤＰの駆動方式は，交流電圧を使う交流型，直流電圧を使う直流型，及び直流と交流の両方を使う混合型とに分けられる。この中でも，交流型による３電極面放電構造が広く普及している。
【０００３】
上に述べた交流型の３電極面放電構造のＰＤＰは，各放電セルに対応して，前面基板（表示面側の基板）には走査電極と表示電極とからなる放電維持電極が形成され，後面基板にはアドレス電極と隔壁と蛍光層とが形成される。そして，隔壁によって区画される放電セル内には放電ガス（主に，Ｎｅ−Ｘｅ混合ガス）が満たされる。
【０００４】
そして，このような構成において，アドレス電極と走査電極との間にアドレス電圧を印加して発光のための放電セルを選択し，走査電極と表示電極との間に１５０〜２００Ｖの維持電圧を印加すれば，選択された放電セルでは，放電ガスがプラズマ放電を起こしてプラズマ放電時に作られるＸｅの励起原子から真空紫外線が放出され，この真空紫外線が当該セルの隔壁に塗布された蛍光体を励起させて可視光に変換させることによって，カラー表示が可能となる。
【０００５】
このような構成のＰＤＰにおいて，前述した電極は，表示領域の外側に形成される端子領域にその一端が延び，この端子領域でフレキシブル印刷回路（Ｆｌｅｘｉｂｌｅ  Ｐｒｉｎｔｅｄ  Ｃｉｒｃｕｉｔ：ＦＰＣ）やチップオンフィルム（Ｃｈｉｐ  Ｏｎ  Ｆｉｌｍ：ＣＯＦ）のような接続部材と連結され，これによってプラズマ放電に必要な駆動電圧の印加を受ける。
【０００６】
図４は従来の技術によるＰＤＰの前面基板の概略図であって，前面基板に走査電極と表示電極とが形成された状態を示した。
【０００７】
図面を参照すれば，走査電極１と表示電極３とは，前面基板４上に，この前面基板４に設定される表示領域５の長軸方向（図面のＸ方向）に沿ってストライプパターンに形成され，表示領域５の短軸方向（図面のＹ方向）に沿って一つの走査電極１と一つの表示電極３とが交互に配置される。これらの電極のうち，表示電極３は共通電極（コモン電極）であるので，この表示電極３の各々に接続部材（例えばＦＰＣ）を連結する必要はない。これに対し，走査電極１は接続部材（例えばＦＰＣ）の端子と一対一で接続されて，個別に駆動信号の印加を受けなければならない。
【０００８】
走査電極１は，例えば接続部材の端子の数などに応じて複数の走査電極群に分割され，同一走査電極群内の各走査電極１はそれぞれその一端１ａが表示領域５の外側に形成される端子領域７に延びて，その中心を基準に（図面のＸ方向を基準に）左右対称の斜線を描きながら電極間の間隔が表示領域５から離れるにつれて狭くなっている。つまり，端子領域７における走査電極１のピッチ（Ａ）は，表示領域５における走査電極１のピッチ（Ｂ）より小さく形成される。
【０００９】
このように端子領域７における走査電極１のピッチを小さくする理由は，走査電極１に連結されるＦＰＣ又はＣＯＦなどの接続部材（連結部材）が前面基板４の短辺に沿って多数配置される際にこれらが互いに干渉するのを防止するためと，接続部材を走査電極１の端子に実際に連結する際に正確に位置決めを行えるように設けられる基準マークであるアライメントマーク（整列マーク：ａｌｉｇｎｍｅｎｔ  ｍａｒｋ）を形成するための空間を，端子領域７の走査電極１の群間に確保する必要があるからである。
【発明の開示】
【発明が解決しようとする課題】
【００１０】
上述したように，従来のＰＤＰでは，端子領域７における走査電極１間のピッチを狭く形成するために電極形成工程が複雑になり，このため製造時の不良発生率が高くなるという問題があった。このような問題は，特に，高精細（ｆｉｎｅ  ｐｉｔｃｈ）なＰＤＰで発生する可能性が大きかった。
【００１１】
そこで，本発明は，このような問題に鑑みてなされたもので，その目的とするところは，接続部材が接続される電極端部における電極間のピッチを小さく形成する必要のないプラズマディスプレイパネルを提供することにある。
【課題を解決するための手段】
【００１２】
上記課題を解決するために，本発明のある観点によれば，所定の距離を離間させて対向配置される第１基板及び第２基板と，前記第１基板に同一方向に配列される複数のアドレス電極と，前記第１基板と第２基板との間の空間に配置され，前記第１基板と第２基板との間の空間のうち画像の表示領域となる空間を区画して複数の放電セルを形成する隔壁と，前記放電セル内に形成される蛍光層と，前記第２基板に前記アドレス電極と直交する方向に対をなして同一方向に交互に配列される複数の走査電極及び複数の表示電極とを含み，前記走査電極及び表示電極は，前記表示領域における電極のピッチと，前記表示領域の外側に備えられた端子領域における電極のピッチとが同一に形成されること，を特徴とするプラズマディスプレイパネルが提供される。
【００１３】
このような本発明にかかるプラズマディスプレイパネルによれば，走査電極の端子領域における電極ピッチと表示領域における電極ピッチとを同一にして端子領域における電極ピッチを従来よりも広くすることにより，電極の製造工程が単純化されるので，電極不良が減少し，電極の欠陥の検出が容易になると同時に，走査電極に接続部材を実装する作業が容易になる。
【００１４】
このとき，上記複数の走査電極及び表示電極は複数の走査電極群及び表示電極群に分割され，上記端子領域のうち上記走査電極及び表示電極の両端部が位置する対向する２辺に沿った領域には，上記走査電極及び表示電極が複数配列される方向に沿って，上記表示電極群の各表示電極の端部を連結する共通端子と，上記走査電極群の各走査電極の端部に接続される接続部材とが交互に反復配置される如く構成すれば，上記共通端子はその大きさが上記接続部材よりも小さく形成されるので，共通端子と接続部材とが同一辺上の端子領域に交互に配置されるとき，上記共通端子の両側すなわち隣接する接続部材との間には空間が確保され，ここに接続部材を走査電極に接続する際の位置決め用のアライメントマークを設けることができるので，従来のようにアライメントマークを設ける空間を確保するために上記走査電極の端部における電極ピッチを小さくする必要がなくなり，上記走査電極の電極ピッチを端子領域においても表示領域の電極ピッチと同幅になるように形成することが可能となる。
【００１５】
また，上記表示領域の外側には，上記走査電極及び表示電極の両端部が位置する対向する２辺のうちの一辺に第１端子領域，他辺に第２端子領域が備えられ，上記複数の走査電極及び表示電極は複数の走査電極群及び表示電極群に分割され，上記各走査電極群の端部に接続される接続部材は，上記走査電極と表示電極とが交互に配列される方向に沿って第１端子領域と第２端子領域とに交互に反復配置される如く構成すれば，上記走査電極に接続される接続部材は基板の相対向する辺に設けられた端子領域に交互に配置されるので，同一辺上の端子領域に配置される接続部材間の間隔は広くなる。
【００１６】
ここに更に，上記表示電極群の各表示電極の端部を連結する共通端子は，上記走査電極と表示電極とが交互に配列される方向に沿って上記第２端子領域と第１端子領域とに交互に反復配置されるようにすれば，上記表示電極の端部を連結する共通端子は基板の相対向する辺に設けられた端子領域に交互に配置されるので，同一辺上の端子領域には上記走査電極に接続される接続部材と上記共通端子との両方が配置されることになる。このとき，上記共通端子はその大きさが上記接続部材よりも小さく形成されるので，共通端子と接続部材とが同一辺上の端子領域に配置されるとき，上記共通端子の両側には空間が確保され，ここに接続部材を走査電極に接続する際の位置決め用のアライメントマークを設けることができるので，従来のようにアライメントマークを設ける空間を確保するために上記走査電極の端部における電極ピッチを小さくする必要がなくなり，上記走査電極の電極ピッチを端子領域においても表示領域の電極ピッチと同幅になるように形成することが可能となる。
【００１７】
このとき，上記各々の走査電極と表示電極とは透明電極と透明電極上に形成される金属のバス電極とからなるようにするのが望ましい。
【００１８】
上記課題を解決するために，本発明の別の観点によれば，所定の距離を離間させて対向配置される第１基板及び第２基板と，上記第１基板に同一方向に配列される複数のアドレス電極と，上記第１基板と第２基板との間の空間に配置され，上記第１基板と第２基板との間の空間のうち画像の表示領域となる空間を区画して複数の放電セルを形成する隔壁と，上記放電セル内に形成される蛍光層と，上記第２基板に前記アドレス電極と直交する方向に対をなして同一方向に交互に配列される複数の走査電極及び複数の表示電極とを含み，上記アドレス電極，上記走査電極，及び上記表示電極は，上記表示領域における電極のピッチと，上記表示領域の外側に備えられた端子領域における電極のピッチとが同一に形成され，上記アドレス電極の一側の端部に接続される接続部材は，上記表示領域の外側の上記アドレス電極の両端部が位置する対向する２辺に設けられる２つの端子領域に，上記アドレス電極が複数配列される方向に沿って交互に反復配置されることを特徴とするプラズマディスプレイパネルが提供される。
【００１９】
このような本発明にかかるプラズマディスプレイパネルによれば，走査電極の端子領域における電極ピッチと表示領域における電極ピッチとを同一にして端子領域における電極ピッチを従来よりも広くすることにより，電極の製造工程が単純化されるので，電極不良が減少し，電極の欠陥の検出が容易になると同時に，走査電極に接続部材を実装する作業が容易になる。また同様に，アドレス電極の端子領域における電極ピッチと表示領域における電極ピッチとを同一にして端子領域における電極ピッチを従来よりも広くすることにより，電極の製造工程が単純化されるので，電極不良が減少し，電極の欠陥の検出が容易になり，更に，上記アドレス電極に接続される接続部材は基板の相対向する辺に設けられた端子領域に交互に配置されるので，同一辺上の端子領域に配置される接続部材間の間隔は広くなり，アドレス電極に接続部材を実装する作業が容易になる。
【００２０】
ここで，上記複数の走査電極及び表示電極は複数の走査電極群及び表示電極群に分割され，上記端子領域のうち上記走査電極及び表示電極の両端部が位置する対向する２辺に沿った領域には，上記走査電極及び表示電極が複数配列される方向に沿って，上記表示電極群の各表示電極の端部を連結する共通端子と，上記走査電極群の各走査電極の端部に接続される接続部材とが交互に反復配置される如く構成すれば，上記共通端子はその大きさが上記接続部材よりも小さく形成されるので，共通端子と接続部材とが同一辺上の端子領域に交互に配置されるとき，上記共通端子の両側すなわち隣接する接続部材との間には空間が確保され，ここに接続部材を走査電極に接続する際の位置決め用のアライメントマークを設けることができるので，従来のようにアライメントマークを設ける空間を確保するために上記走査電極の端部における電極ピッチを小さくする必要がなくなり，上記走査電極の電極ピッチを端子領域においても表示領域の電極ピッチと同幅になるように形成することが可能となる。
【００２１】
また，上記表示領域の外側には，上記走査電極及び表示電極の両端部が位置する対向する２辺のうちの一辺に第１端子領域，他辺に第２端子領域が備えられ，上記複数の走査電極及び表示電極は複数の走査電極群及び表示電極群に分割され，上記各走査電極群の端部に接続される接続部材は，上記走査電極と表示電極とが交互に配列される方向に沿って第１端子領域と第２端子領域とに交互に反復配置される如く構成すれば，上記走査電極に接続される接続部材は基板の相対向する辺に設けられた端子領域に交互に配置されるので，同一辺上の端子領域に配置される接続部材間の間隔は広くなる。
【００２２】
ここに更に，上記表示電極群の各表示電極の端部を連結する共通端子は，上記走査電極と表示電極とが交互に配列される方向に沿って上記第２端子領域と第１端子領域とに交互に反復配置されるようにすれば，上記表示電極の端部を連結する共通端子は基板の相対向する辺に設けられた端子領域に交互に配置されるので，同一辺上の端子領域には上記走査電極に接続される接続部材と上記共通端子との両方が配置されることになる。このとき，上記共通端子はその大きさが上記接続部材よりも小さく形成されるので，共通端子と接続部材とが同一辺上の端子領域に配置されるとき，上記共通端子の両側には空間が確保され，ここに接続部材を走査電極に接続する際の位置決め用のアライメントマークを設けることができるので，従来のようにアライメントマークを設ける空間を確保するために上記走査電極の端部における電極ピッチを小さくする必要がなくなり，上記走査電極の電極ピッチを端子領域においても表示領域の電極ピッチと同幅になるように形成することが可能となる。
【発明の効果】
【００２３】
本発明によれば，走査電極の端子領域における電極ピッチと表示領域における電極ピッチとを同一にして端子領域における電極ピッチを従来よりも広くすることにより，電極の製造工程が単純化されると同時に走査電極に接続部材を実装する作業が容易になるプラズマディスプレイパネルを提供できるものである。
【発明を実施するための最良の形態】
【００２４】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２５】
図１は本発明の実施形態によるプラズマディスプレイパネルの第２基板の概略構成を示す図であり，図２は本発明の実施形態によるプラズマディスプレイパネルの部分分解斜視図である。
【００２６】
本発明の実施形態によるプラズマディスプレイパネル（Ｐｌａｓｍａ  Ｄｉｓｐｌａｙ  Ｐａｎｅｌ：以下‘ＰＤＰ'とする）は，第１基板（又は表示面側とは反対側の面となる後面基板）２と第２基板（又は表示面側となる前面基板）４とが任意の間隔をおいて対向配置される。両基板の間の空間には複数の放電セル６が形成される。複数の放電セル６には，ＲＧＢ３原色の放電セル，すなわち赤色の放電セル６Ｒと，緑色の放電セル６Ｇと，青色の放電セル６Ｂとが存在する。ＰＤＰでは，各放電セル６を放電させる放電メカニズムにより，各放電セル６（６Ｒ，６Ｇ，６Ｂ）がそれぞれ独立して可視光を放出することにより任意のカラー映像を実現することができる。
【００２７】
プラズマディスプレイパネルの構成を具体的に見てみると，まず，第１基板２の内面には一方向（図面のＹ方向）に沿ってアドレス電極８が形成され，アドレス電極８を覆いながら，第１基板２の内面全体に誘電層１０が形成される。アドレス電極８は，例えばストライプパターンからなって，隣接したアドレス電極８と所定の間隔をおいて並んで形成される。
【００２８】
誘電層１０上には，放電空間を区画する隔壁１２が形成される。本実施形態においては，特に格子型の隔壁１２の場合について図示した。隔壁１２の四つの側面及び誘電層１０の上面には赤，緑，または青色の蛍光体が塗布された蛍光層１４Ｒ，１４Ｇ，または１４Ｂが設けられる。隔壁１２で囲まれた放電空間は，放電ガス（主に，Ｎｅ−Ｘｅ混合ガス）で満たされて，放電セル６を形成する。ここで，隔壁１２の形状は，前述した格子型に限定されず，アドレス電極８と並んだストライプパターンなど様々なパターンに変形可能である。
【００２９】
そして，第１基板２に対向する第２基板４の一面には，アドレス電極８と直交する方向（図面のＸ方向）に沿って走査電極１６と表示電極１８とからなる放電維持電極２０が形成され，放電維持電極２０を覆いながら，第２基板４の内面全体に透明誘電層２２とＭｇＯ（酸化マグネシウム）保護膜２４とが形成される。本実施形態においては，走査電極１６と表示電極１８とは，各々，第２基板４上に形成される例えばＩＴＯ（インジウムスズ酸化物）のような透明電極１６ａ，１８ａと，透明電極１６ａ，１８ａ上に形成される例えば銀（Ａｇ）のような金属のバス電極１６ｂ，１８ｂとから形成されることができる。
【００３０】
このような構成を有するＰＤＰにおいて，上述した走査電極１６及び表示電極１８は，表示領域２６上に形成されるだけでなく，表示領域２６の両側端にそれぞれ設けられた第１端子領域２８ａまたは第２端子領域２８ｂにその一端が延びて形成される。そして，走査電極１６は，例えば，フレキシブル印刷回路（Ｆｌｅｘｉｂｌｅ  Ｐｒｉｎｔｅｄ  Ｃｉｒｃｕｉｔ：ＦＰＣ）又はチップオンフィルム（Ｃｈｉｐ  Ｏｎ  Ｆｉｌｍ：ＣＯＦ）のような接続部材と連結される。このとき，複数の走査電極１６は，例えば接続部材の端子の数などに応じて複数の走査電極群に分割される。そして，表示電極３も，例えば上記走査電極群と同じ数の複数の表示電極群に分割され，同一表示電極群内の表示電極３はその端部において共通電極（コモン電極）により連結される。そして，本実施形態では，特に，接続部材の端子と一対一で接続される走査電極１６の電極のピッチが，第１端子領域２８ａ及び第２端子領域２８ｂにおける部分と，表示領域２６における部分とで同一幅に形成されることを特徴とする。
【００３１】
これを，図１を参照しながらより具体的に説明すると，走査電極１６と表示電極１８とが交互に配置される一群の電極パターンにおいて，同一群内の走査電極１６と表示電極１８とはそれぞれ表示領域２６の異なる側端へその一端が延長されるように配置され，隣接する群間においては走査電極１６及び表示電極１８はそれぞれ互いに反対の方向にその一端が延長されるように配置される。
【００３２】
すなわち，図１の一番上に位置する一群の電極パターンでは，走査電極１６と表示電極１８とが交互に配置される一群の電極パターンにおいて，走査電極１６は，表示領域２６の左側に備えられた第１端子領域２８ａに一端が延び，延びた走査電極１６の端部に接続部材の接続端子３０が実装される。そして，表示電極１８は，表示領域２６の右側に備えられた第２端子領域２８ｂに一端が延び，延びた表示電極１８の端部が互いに連結されて共通端子３２を形成する。
【００３３】
そして，表示領域２６の短軸方向（図面のＹ方向）に沿ってその次に位置する一群の電極パターンでは，走査電極１６と表示電極１８とが交互に配置される一群の電極パターンにおいて，走査電極１６は，表示領域２６の右側に備えられた第２端子領域２８ｂに一端が延び，延びた走査電極１６の端部に接続部材の接続端子３０が実装される。また，表示電極１８は，表示領域２６の左側に備えられた第１端子領域２８ａに一端が延び，延びた表示電極１８の端部が互いに連結されて共通端子３２を形成する。
【００３４】
このように走査電極１６及び表示電極１８を配置することにより，第１端子領域２８ａでは，表示領域２６の短軸方向（図面のＹ方向）に沿って走査電極１６に接続される接続部材の接続端子３０と表示電極１８の共通端子３２とが交互に反復配置され，第２端子領域２８ｂでもまた，表示領域２６の短軸方向に沿って表示電極１８の共通端子３２と走査電極１６に接続される接続部材の接続端子３０とが交互に反復配置される。
【００３５】
言い換えれば，本実施形態によるＰＤＰにおいて，走査電極１６に接続される接続部材の接続端子３０は，表示領域２６の短軸方向に沿って第１端子領域２８ａと第２端子領域２８ｂとに交互に反復配置され，表示電極１８の共通端子３２は，走査電極１６に接続される接続部材の接続端子３０とは反対に，表示領域２６の短軸方向に沿って第２端子領域２８ｂと第１端子領域２８ａとに交互に反復配置される。
【００３６】
この時，第１端子領域２８ａまたは第２端子領域２８ｂに配置される表示電極１８の共通端子３２は，走査電極１６に接続される接続部材の接続端子３０より小さく形成されるので，共通端子３２の表示領域２６の長軸方向（図面のＸ方向）を中心とした両側には十分な空間が備えられる。すなわち，従来のように，走査電極１６のピッチを第１端子領域２８ａまたは第２端子領域２８ｂにおいて小さく形成しなくても，隣接する表示電極１８の共通端子３２との間に走査電極１６の端部に接続部材を正確に位置決めして圧着するためのアライメントマーク（整列マーク）３６を形成する領域が確保される。また，隣接する表示電極１８の共通端子３２との間に空間が備えられるため，走査電極１６に接続される接続部材及び表示電極１８の共通端子３２が互いに接触または干渉するのを防止することができるので，走査電極１６の端部に接続部材を容易に実装することができる。
【００３７】
したがって，本実施形態にかかるＰＤＰにおいては，走査電極１６の端部のピッチが従来よりも大きくなっているため，電極の製造工程が単純化され，電極不良が減少し，電極の欠陥の検出が容易になると同時に，走査電極１６に対する接続部材の実装作業が容易になるという長所がある。
【００３８】
次に，上述した本実施形態を第１基板２に形成されるアドレス電極８に適用した場合の応用例について説明する。前述した走査電極１６と走査電極１６に接続される接続部材との構成は，第１基板２に形成されるアドレス電極８にも同一に適用することができる。図３は，本発明の実施形態によるプラズマディスプレイパネルの第１基板の概略構成を示す図である。
【００３９】
アドレス電極８は，表示領域２６の短軸方向（図面のＹ方向）に沿ってストライプパターンに形成され，上述した走査電極１６と同様に，接続部材の端子と一対一で接続される。このとき，表示領域２６における電極のピッチと，表示領域２６の上側及び下側端部に備えられた第３端子領域２８ｃ及び第３端子領域２８ｄにおける電極のピッチとは，第１基板２全体にかけて同一幅に形成される。
【００４０】
図３を参照すれば，図の左側に位置する一群のアドレス電極８は，その一端が表示領域２６の上側に備えられた第３端子領域２８ｃに延び，第３端子領域２８ｃにおいてアドレス電極８の端部と接続部材の接続端子３４とが接続されることにより接続部材が実装される。また，表示領域２６の長軸方向（図面のＸ方向）に沿ってその次に位置する一群のアドレス電極は，その一端が表示領域２６の下側に備えられた第４端子領域２８ｄに延び，第４端子領域２８ｄにおいてアドレス電極８の端部と接続部材の接続端子３４とが接続されることにより接続部材が実装される。
【００４１】
このようにアドレス電極８を配置することにより，アドレス電極８は，表示領域２６の長軸方向（図面のＸ方向）に沿って第３端子領域２８ｃと第４端子領域２８ｄとに交互に反復配置される接続部材の接続端子３４にその一端が接続される。
【００４２】
したがって，本実施形態では，一群のアドレス電極８の表示領域２６の短軸方向（図面のＹ方向）を中心とした両側には十分な空間が備えられるので，従来のように，アドレス電極８のピッチを第３端子領域２８ｃまたは第４端子領域２８ｄにおいて小さく形成しなくても，隣接する一群のアドレス電極８との間にアドレス電極８の端部に接続部材を正確に位置決めして圧着するためのアライメントマーク（整列マーク）を形成する領域が確保される。また，隣接する一群のアドレス電極８との間に空間が備えられるため，アドレス電極８に接続される接続部材が互いに接触または干渉するのを防止することができるので，アドレス電極８の端部に接続部材を容易に実装することができる。
【００４３】
このように，本実施形態によるＰＤＰは，走査電極１６，表示電極１８，及びアドレス電極８の全てについて，端子領域２８ａ〜２８ｄにおけるそれぞれの電極間のピッチを表示領域２６における電極間のピッチと同一間隔に形成することができる。このような構成を有するＰＤＰは，例えば，インクジェット方式によりデジタルデータからプリント基板上に直接シンボルマークなどの印刷を行ったり，ディスペンサーにより基板へ接着剤を塗布したり，ワイヤー電極を使用したりなどと，単純化された工程により容易に製作を行なうことができるという長所がある。そして，このように単純化された構成及び製造工程により，電極不良が減少し，電極の欠陥の検出が容易になるという効果も奏する。更に，本実施形態にかかるＰＤＰは，走査電極１８及びアドレス電極８に対する，例えばＦＰＣなどの接続部材の実装作業が容易になるという長所もある。
【００４４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４５】
本発明は，プラズマディスプレイテレビなどに設けられるプラズマディスプレイパネル（ＰＤＰ）に適用可能であり，特に３電極面放電構造のプラズマディスプレイパネルに適用可能である。
【図面の簡単な説明】
【００４６】
【図１】本発明の実施の形態によるプラズマディスプレイパネルの第２基板の概略構成を示す図である。
【図２】同実施の形態によるプラズマディスプレイパネルの部分分解斜視図である。
【図３】同実施の形態によるプラズマディスプレイパネルの第１基板の概略構成を示す図である。
【図４】従来の技術によるプラズマディスプレイパネルの前面基板の概略構成を示す図である。
【符号の説明】
【００４７】
１，１６    走査電極
２          第１基板（後面基板）
３，１８    表示電極
４          第２基板（前面基板）
５，２６    表示領域
６          放電セル
７          端子領域
２８ａ      第１端子領域
２８ｂ      第２端子領域
２８ｃ      第３端子領域
２８ｄ      第４端子領域
８          アドレス電極
１０        誘電層
１２        隔壁
１４        蛍光層
１６ａ，１８ａ  透明電極
１６ｂ，１８ｂ  バス電極
２０        放電維持電極
２２        透明誘電層
２４        ＭｇＯ保護膜
３０        接続部材の接続端子
３２        共通端子
３４        接続部材の接続端子
３６        アライメントマーク
【図１】
2005050787.tif 000003
【図２】
2005050787.tif 000004
【図３】
2005050787.tif 000005
【図４】
2005050787.tif 000006